(57)【要約】【課題】上蓋を形成するときに、厚紙製包装箱に収容された内容物に上蓋形成用フラップが当たって、内容物が傷付くことを防止することができる厚紙製包装箱を提供する。【解決手段】上蓋形成用フラップ１０，１１，１２，１３は、先に折り畳まれる第１の上蓋形成用フラップ１０，１１と、後に折り畳まれる第２の上蓋形成用フラップ１２，１３とを備えており、第１の上蓋形成用フラップ１０，１１には、弾性的に折り曲げ可能に設けられ第２の上蓋形成用フラップ１２，１３の下面に当接可能な第１の当接部２３と、第２の上蓋形成用フラップ１２，１３が折り畳まれた状態で第２の上蓋形成用フラップ１２，１３の上方に突出するように持ち上げられ、第２の上蓋形成用フラップ１２，１３の付き合わせ部の上面に当接可能な第２の当接部１９とを備えている。【選択図】図５
0003183233.tif 000002
【実用新案登録請求の範囲】
【請求項１】
２組の対向側板と、この２組の対向側板の下端に連設される底板形成用フラップと、この２組の対向側板の上端に連設される上蓋形成用フラップとを備えた厚紙製包装箱において、
上蓋形成用フラップは、２組の対向側板のうち１組の対向側板に連設され先に閉じられる第１の上蓋形成用フラップと、２組の対向側板のうち他の組の対向側板に連設され第１の上蓋形成用フラップが閉じられた後に閉じられる第２の上蓋形成用フラップとを備えており、
第１の上蓋形成用フラップには、第１の上蓋形成用フラップの両側部に弾性的に折り曲げ可能に設けられ第２の上蓋形成用フラップの裏面に当接可能な第１の当接部と、第１の上蓋形成用フラップの先端部に設けられ第２の上蓋形成用フラップが閉じられた状態で第２の上蓋形成用フラップの上方に突出するように持ち上げられ、第２の上蓋形成用フラップ同士の突き合わせ部の上面に当接可能な第２の当接部とを備えていることを特徴とする厚紙製包装箱。
【請求項２】
第２の上蓋形成用フラップの先端角部が面取りされていることを特徴とする請求項１に記載の厚紙製包装箱。
【請求項３】
第２の当接部の先端には第２の当接部を持ち上げるときに指掛け可能な指掛け部が形成されていることを特徴とする請求項１または２に記載の厚紙製包装箱。
【考案の詳細な説明】
【技術分野】
【０００１】
本考案は、段ボールなどの厚紙によって形成される厚紙製包装箱に関する。
【背景技術】
【０００２】
特許文献１に記載の包装箱では、長辺側の対向側板の上端に連設された第１の上蓋形成用フラップが閉じられて、第１の上蓋形成用フラップの先端同士が、短辺側の対向側板の幅方向中央部において突き合わされた状態で、短辺側の対向側板の上端に連設された第２の上蓋形成用フラップが閉じられる。第１の上蓋形成用フラップには、長辺側の対向側板の上端との連設線に近接するように差込孔が形成されており、第２の上蓋形成用フラップが閉じられたとき、第２の上蓋形成用フラップの両端に形成された差込片が、この差込孔に差し込まれて上蓋が形成される。
【０００３】
なお、第２の上蓋形成用フラップには、対向側板の上端の連設線と平行に折り曲げ線が形成されており、差込孔に対して差込片を差し込むときに、第２の上蓋形成用フラップを折り曲げ線で折り曲げることによって差込片を差し込み易くしている。
【先行技術文献】
【特許文献】
【０００４】
【特許文献１】特開２００４−３４５６５８
【考案の概要】
【考案が解決しようとする課題】
【０００５】
特許文献１に記載の包装箱では、第２の上蓋形成用フラップの差込片が、第１の上蓋形成用フラップの差込孔に差し込まれるとき、第２の上蓋形成用フラップは先端が下向きになるように折り曲げ線で折り曲げられ、包装箱に収容された内容物に差込片が当たることがある。内容物が青果物などの場合には、差込片によって内容物が傷付けられることがある。
【０００６】
本考案の目的は、上蓋を形成するときに、厚紙製包装箱に収容された内容物に上蓋形成用フラップが当たって、内容物が傷付くことを防止することができる厚紙製包装箱を提供することである。
【課題を解決するための手段】
【０００７】
この課題を解決するために請求項１の考案は、２組の対向側板と、この２組の対向側板の下端に連設される底板形成用フラップと、この２組の対向側板の上端に連設される上蓋形成用フラップとを備えた厚紙製包装箱において、
上蓋形成用フラップは、２組の対向側板のうち１組の対向側板に連設され先に閉じられる第１の上蓋形成用フラップと、２組の対向側板のうち他の組の対向側板に連設され第１の上蓋形成用フラップが閉じられた後に閉じられる第２の上蓋形成用フラップとを備えており、
第１の上蓋形成用フラップには、第１の上蓋形成用フラップの両側部に弾性的に折り曲げ可能に設けられ第２の上蓋形成用フラップの裏面に当接可能な第１の当接部と、第１の上蓋形成用フラップの先端部に設けられ第２の上蓋形成用フラップが閉じられた状態で第２の上蓋形成用フラップの上方に突出するように持ち上げられ、第２の上蓋形成用フラップ同士の突き合わせ部の上面に当接可能な第２の当接部とを備えている。
【０００８】
請求項２の考案では、第２の上蓋形成用フラップの先端角部が面取りされているものである。
請求項３の考案では、第２の当接部の先端には第２の当接部を持ち上げるときに指掛け可能な指掛け部が形成されている。
【考案の効果】
【０００９】
請求項１記載の考案によれば、第１の上蓋形成用フラップが閉じられ、さらに第２の上蓋形成用フラップが閉じられて、第１の上蓋形成用フラップの両側部に弾性的に折り曲げ可能に設けられた第１の当接部が第２の上蓋形成用フラップの裏面に当接した状態で、第２の当接部が第２の上蓋形成用フラップの上方に突出するように持ち上げられて、第２の上蓋形成用フラップ同士の突き合わせ部の上面に第２の当接部が当接して上蓋が形成されるので、上蓋を形成するときに上蓋形成用フラップが厚紙製包装箱に収容された内容物に当たって内容物が傷付くことを防止することができる。
【００１０】
請求項２記載の考案によれば、持ち上げられた第２の当接部の裏面に第２の上蓋形成用フラップの先端角部が当たって、第２の当接部が傷付くことを防止して、第２の当接部を滑らかに押し下げることができる。
【００１１】
請求項３記載の考案によれば、作業者は指掛け部に指を掛けて第２の当接部を容易に持ち上げることができる。
【図面の簡単な説明】
【００１２】
【図１】本考案の一実施の形態に係る厚紙製包装箱の展開図である。
【図２】同厚紙製包装箱の組み立て途中の状態を上方から見た斜視図である。
【図３】同厚紙製包装箱の組み立て途中の状態を上方から見た斜視図である。
【図４】同厚紙製包装箱の組み立て途中の状態を上方から見た斜視図である。
【図５】同厚紙製包装箱の組み立てが完了した状態を上方から見た斜視図である。
【考案を実施するための形態】
【００１３】
本考案の一実施の形態について図１〜図５に基づいて説明する。厚紙製包装箱１は、たとえば厚紙である段ボール板を用いて形成され、２組の対向側板２，３、４，５を備えている。この２組の対向側板２，３、４，５の下端には底板形成用フラップ６，７、８，９が連設されている。短辺側の一組の対向側板２，３の上端には第１の上蓋形成用フラップ１０，１１が連設されており、長辺側の他の組の対向側板４，５の上端には第２の上蓋形成用フラップ１２，１３が連設されている。第１の上蓋形成用フラップ１０，１１と対向側板２，３とは折曲線１４，１５を介して繋がれており、第２の上蓋形成用フラップ１２，１３と対向側板４，５とは折曲線１６，１７を介して繋がれている。なお、対向側板４の側部には対向側板３の端部内面に接合される糊代１８が設けられている。
【００１４】
第１の上蓋形成用フラップ１０，１１の両側部には第１の当接部２３が設けられ、この第１の上蓋形成用フラップ１０，１１の先端部中央には第２の当接部１９が設けられている。第２の当接部１９の両側部には、上蓋形成用フラップ１０，１１の基端部に向かってＶ字状の切り込み２０が形成されており、切り込み２０の底部２１と上蓋形成用フラップ１０，１１の基端角部との間には折曲線２２が設けられている。折曲線２２の両側に設けられた第１の当接部２３は、折曲線２２から弾性的に折り曲げられて第２の上蓋形成用フラップ１２，１３の裏面に当接可能である。第２の当接部１９の先端には円弧状に切り欠かれた指掛け部２４が形成されている。
【００１５】
上蓋形成用フラップ１２，１３は、両側角部が切除されて中央部２６が突出した形状であり、中央部２６の角部２７は面取りされている。
【００１６】
ここで、上蓋形成用フラップ１０，１１、１２，１３を閉じて上蓋を形成する手順について説明する。まず、対向側板２，３の上端に連設された第１の上蓋形成用フラップ１０，１１を閉じ、さらに対向側板４，５の上端に連設された第２の上蓋形成用フラップ１２，１３を閉じる。上蓋形成用フラップ１２，１３は、上蓋形成用フラップ１２，１３の端面２９間の隙間に上方から指を入れて、第１の上蓋形成用フラップ１０，１１の指掛け部２４に指を掛けることができる程度に閉じられる。
【００１７】
次に、上蓋形成用フラップ１２，１３の端面２９間の隙間に指を入れ、第１の上蓋形成用フラップ１０，１１の指掛け部２４に指を掛けて、第１の上蓋形成用フラップ１０，１１を持ち上げる。第１の上蓋形成用フラップ１０，１１を持ち上げると、第２の当接部１９が第２の上蓋形成用フラップ１２，１３の中央部２６裏面に当接して、第２の上蓋形成用フラップ１２，１３を押し上げる。このとき第１の上蓋形成用フラップ１０，１１の両側に位置する第１の当接部２３は、折曲線２２に沿って弾性的に折れ曲がり、第２の上蓋形成用フラップ１２，１３の肩部３０裏面に当接している。図２はこの状態を示している。
【００１８】
図２の状態からさらに第１の上蓋形成用フラップ１０，１１を持ち上げると、第２の当接部１９が、上蓋形成用フラップ１２，１３の中央部２６の裏面から離れて、第２の上蓋形成用フラップ１２，１３の段付き部２５間の隙間から上方に突出し、中央部２６の角部２７を覆うようになる。このとき、第１の上蓋形成用フラップ１０，１１の第１の当接部２３は、折曲線２２で折り曲げられて、第２の上蓋形成用フラップ１２，１３の肩部３０裏面に当接した状態を維持している。このときの厚紙製包装箱１を図３に示す。
【００１９】
第２の上蓋形成用フラップ１２，１３の上方に突出した第２の当接部１９を押し下げると、第２の上蓋形成用フラップ１２，１３は第２の当接部１９に押されて、角部２７が第２の当接部１９の裏面に当接しながら閉じられて行く。このときの厚紙製包装箱１を図４に示す。
【００２０】
第２の当接部１９がさらに押し下げられて第２の上蓋形成用フラップ１２，１３の中央部２６の端面２９が突き合わされたとき、第１の上蓋形成用フラップ１０，１１の第２の当接部１９は、端面２９の突き合わせ部を中心として第２の上蓋形成用フラップ１２と１３の中央部２６に跨るように当接する。第１の上蓋形成用フラップ１０，１１に形成されている切り込み２０の底部２１は、第２の上蓋形成用フラップ１２，１３の中央部２６側面３１に当接している。第１の上蓋形成用フラップ１０，１１の第１の当接部２３は、第２の上蓋形成用フラップ１２，１３の肩部３０裏面に当接した状態を維持している。このときの厚紙製包装箱１を図５に示す。
【００２１】
第１の上蓋形成用フラップ１０，１１を閉じ、さらに第２の上蓋形成用フラップ１２，１３を閉じた後に、第１の上蓋形成用フラップ１０，１１の第２の当接部１９を持ち上げて、第２の当接部１９で第２の上蓋形成用フラップ１２，１３の中央部２６を上方から覆う。第１の当接部２３は、折曲線２２によって弾性的に折り曲げられるので、第１の上蓋形成用フラップ１０，１１の第２の当接部１９を持ち上げ、持ち上げた第２の当接部１９で第２の上蓋形成用フラップ１２，１３の中央部２６を覆って上蓋を形成する作業を行うとき、第２の上蓋形成用フラップ１２，１３の肩部３０裏面に当接している。第１の当接部２３は、上蓋が形成された後も第２の上蓋形成用フラップ１２，１３の肩部３０裏面に当接しているので、厚紙製包装箱１に収容されている内容物に上蓋形成用フラップ１０，１１，１２，１３が当たって、内容物が傷付くことを防止することができる。
【００２２】
なお、本実施の形態の厚紙製包装箱の底部は、たとえば底板形成用フラップ６，７が閉じられ、さらに底板形成用フラップ８，９が閉じられた後に、底板形成用フラップ８，９の突合わせ部に封緘テープ３２が貼られて形成されるが、底板の形態はこれに限定されるものではない。
【００２３】
このように、２組の対向側板２，３，４，５と、この２組の対向側板２，３，４，５の下端に連設される底板形成用フラップ６，７、８，９と、この２組の対向側板２，３，４，５の上端に連設される上蓋形成用フラップ１０，１１，１２，１３とを備えた厚紙製包装箱１において、上蓋形成用フラップ１０，１１，１２，１３は、２組の対向側板２，３，４，５のうち１組の対向側板２，３に連設され先に閉じられる第１の上蓋形成用フラップ１０，１１と、２組の対向側板２，３，４，５のうち他の組の対向側板４，５に連設され第１の上蓋形成用フラップ１０，１１が閉じられた後に閉じられる第２の上蓋形成用フラップ１２，１３とを備えており、第１の上蓋形成用フラップ１０，１１には、第１の上蓋形成用フラップ１０，１１の両側部に弾性的に折り曲げ可能に設けられ第２の上蓋形成用フラップ１２，１３の裏面に当接可能な第１の当接部２３と、第１の上蓋形成用フラップ１０，１１の先端部に設けられ第２の上蓋形成用フラップ１２，１３が閉じられた状態で第２の上蓋形成用フラップ１２，１３の上方に突出するように持ち上げられた後、第２の上蓋形成用フラップ１２，１３同士の突き合わせ部の上面に当接可能な第２の当接部１９とを備えているので、第１の上蓋形成用フラップ１０，１１が閉じられ、さらに第２の上蓋形成用フラップ１２，１３が閉じられて、第１の上蓋形成用フラップ１０，１１の両側部に弾性的に折り曲げ可能に設けられた第１の当接部２３が第２の上蓋形成用フラップ１２，１３の裏面に当接した状態で、第２の当接部１９を第２の上蓋形成用フラップ１２，１３の上方に突出するように持ち上げて、第２の上蓋形成用フラップ１２，１３同士が突き合わされた突き合わせ部の上面に第２の当接部１９を当接させて上蓋を形成するので、上蓋を形成するときに上蓋形成用フラップ１０，１１，１２，１３が厚紙製包装箱１に収容された内容物に当たって内容物が傷付くことを防止することができる。
【００２４】
さらに、第２の上蓋形成用フラップ１２，１３の先端角部２７が面取りされているので、持ち上げられた第２の当接部１９の裏面に第２の上蓋形成用フラップ１２，１３の先端角部２７が当たって、第２の当接部１９が傷付くことを防止して、第２の当接部１９を滑らかに押し下げることができる。
【００２５】
さらに、第２の当接部１９には第２の当接部１９を持ち上げるときに指掛け可能な指掛け部２４が形成されているので、作業者は指掛け部２４に指を掛けて容易に第２の当接部１９を持ち上げることができる。
【符号の説明】
【００２６】
１    厚紙製包装箱
２，３，４，５    対向側板
６，７，８，９    底板形成用フラップ
１０，１１    第１の上蓋形成用フラップ
１２，１３    第２の上蓋形成用フラップ
１４，１５，１６，１７    折曲線
１８    糊代
１９    第２の当接部
２０    切り込み
２１    底部
２２    折曲線
２３    第１の当接部
２４    指掛け部
２５    段付き部
２６    先端部
２７    角部
２９    端面
３０    肩部
３１    側面
３２    封緘テープ
【図１】
0003183233.tif 000003
【図２】
0003183233.tif 000004
【図３】
0003183233.tif 000005
【図４】
0003183233.tif 000006
【図５】
0003183233.tif 000007